(57)【要約】【課題】  複数の制作者の共同制作による合作物としてデジタルコンテンツを制作する作業を促進させる。【解決手段】  サーバ装置１００に対して、複数の端末装置２００をインターネット３００を介して接続する。作品募集要綱提示部１１０により、制作対象作品の作品募集要綱が提示され、各制作者は、作品募集要綱閲覧部２１０でこれを閲覧し、応募作品を制作する。個々の応募作品は、作品送信部２２０から応募作品登録部１２０へ登録される。合作物作成部１３０により、登録された応募作品を組み合わせて合作物を作成し、合作物提示部１４０により、合作物閲覧部２３０へと提示する。各制作者が、閲覧した合作物に対する評価情報を、評価情報入力部２４０へ入力すると、評価情報送信部２５０から許否判定部１５０へと送信される。許否判定部１５０は、各端末装置２００から収集した評価情報に基づいて、合作物の公開許否を判定する。【選択図】  図１
2006048463.tif 000002
【特許請求の範囲】
【請求項１】
複数の制作者にそれぞれ作品の一部を担当させ、個々の制作者による担当部分を組み合わせた合作物としてデジタルコンテンツを制作する作業を支援するシステムであって、個々の制作者が利用する端末装置と、これら端末装置に対してネットワークを介して接続されたサーバ装置と、を備え、
前記サーバ装置は、
制作予定となる合作物について、テーマおよびその構成を示す作品募集要綱を提示する作品募集要綱提示部と、
前記作品募集要綱に基づいて各制作者が制作した応募作品を、各端末装置からネットワークを介して受信し、これを登録する応募作品登録部と、
前記作品募集要綱に基づいて、登録されている応募作品を組み合わせて合作物を作成する合作物作成部と、
作成された合作物を各端末装置に対して提示する合作物提示部と、
各端末装置からネットワークを介して収集した評価情報に基づいて、合作物の公開許否を判定する許否判定部と、
を有し、
前記端末装置は、
ネットワークを介して前記作品募集要綱を閲覧する作品募集要綱閲覧部と、
制作した応募作品をネットワークを介して前記サーバ装置に送信する作品送信部と、
ネットワークを介して前記合作物を閲覧する合作物閲覧部と、
閲覧した合作物に対する評価情報を入力する評価情報入力部と、
入力した評価情報の全部もしくは一部を、ネットワークを介して前記サーバ装置に送信する評価情報送信部と、
を有することを特徴とするデジタルコンテンツの共同制作支援システム。
【請求項２】
請求項１に記載の支援システムにおいて、
評価情報入力部が、評価対象となる合作物について、公開の許可もしくは不許可のいずれかの意志表示を示す評価情報を入力する機能を有し、
評価情報送信部が、前記意志表示をサーバ装置に送信する機能を有し、
許否判定部が、判定対象となる合作物について、すべての共同制作者から許可の意志表示を示す評価情報が得られた場合にのみ、当該合作物についての公開を許可する旨の判定を行うことを特徴とするデジタルコンテンツの共同制作支援システム。
【請求項３】
請求項１に記載の支援システムにおいて、
評価情報入力部が、評価対象となる合作物について、段階的評価値を示す評価情報を入力する機能を有し、
評価情報送信部が、前記段階的評価値をサーバ装置に送信する機能を有し、
許否判定部が、所定のアルゴリズムに基づいて、判定対象となる合作物についてのすべての共同制作者から得られた段階的評価値を統合し、その結果として得られる統合評価値が、所定の基準値以上であった場合に、当該合作物についての公開を許可する旨の判定を行うことを特徴とするデジタルコンテンツの共同制作支援システム。
【請求項４】
請求項３に記載の支援システムにおいて、
許否判定部が、１人の共同制作者から最低レベルの評価値が得られた場合に、公開を不許可とする判定が行われるアルゴリズムを用いることを特徴とするデジタルコンテンツの共同制作支援システム。
【請求項５】
請求項３または４に記載の支援システムにおいて、
評価情報入力部が、評価対象となる合作物を構成する個々の応募作品のうち、他の共同制作者の個々の作品もしくは自己の作品も含めた全作品についての個別評価値を入力する機能を有し、
評価情報送信部が、前記個別評価値もしくは前記個別評価値に基づいて求めた合作物についての総合評価値またはその双方を、評価対象となる合作物についての段階的評価値としてサーバ装置に送信する機能を有することを特徴とするデジタルコンテンツの共同制作支援システム。
【請求項６】
請求項５に記載の支援システムにおいて、
評価情報送信部が、他の共同制作者の個々の作品についての個別評価値をサーバ装置に送信する機能を有し、
許否判定部が、公開許可と判定した合作物についての各制作者ごとに支払う対価を、前記個別評価値を考慮して決定する機能を更に有することを特徴とするデジタルコンテンツの共同制作支援システム。
【請求項７】
請求項１に記載の支援システムにおいて、
端末装置が、
評価情報入力部に入力した評価情報を評価履歴として保存する評価履歴保存部と、
前記評価履歴を提示する評価履歴提示部と、
を更に備えることを特徴とするデジタルコンテンツの共同制作支援システム。
【請求項８】
請求項７に記載の支援システムにおいて、
評価情報入力部が、評価対象となる合作物を構成する個々の応募作品のうち、少なくとも他の共同制作者の個々の作品についての個別評価値を入力する機能を有し、
評価履歴保存部が、前記個別評価値を個々の制作者ごとの評価履歴として保存する機能を有し、
評価履歴提示部が、個々の制作者ごとに、評価履歴に基づいて求めた当該制作者に対する総合評価を提示する機能を有することを特徴とするデジタルコンテンツの共同制作支援システム。
【請求項９】
請求項８に記載の支援システムにおいて、
評価履歴提示部が、作品募集要綱閲覧部による閲覧画面を利用して、各制作者に対する総合評価の提示を行うことを特徴とするデジタルコンテンツの共同制作支援システム。
【請求項１０】
請求項９に記載の支援システムにおいて、
評価履歴提示部が、応募作品登録部への登録状況を参照することにより、制作予定となる合作物について既に応募済の制作者を認識し、当該応募済の制作者に対する総合評価に基づいて、前記合作物についての作品募集要綱の提示態様を変える機能を有することを特徴とするデジタルコンテンツの共同制作支援システム。
【請求項１１】
請求項１０に記載の支援システムにおいて、
応募作品登録部が、作品に応募する旨の各制作者の意志表示に基づいて予約登録を行う機能を有し、
評価履歴提示部が、応募作品登録部への前記予約登録の状況を参照することにより、制作予定となる合作物について参加予定の制作者を認識し、当該参加予定の制作者に対する総合評価に基づいて、前記合作物についての作品募集要綱の提示態様を変える機能を有することを特徴とするデジタルコンテンツの共同制作支援システム。
【請求項１２】
請求項１〜１１のいずれかに記載の支援システムにおいて、
合作物作成部が、応募作品登録部に登録されている応募作品について、作品募集要綱に示されている構成に応じて可能なすべての組み合わせパターンを求め、このすべての組み合わせパターンに対応する合作物の作成をそれぞれ行うことを特徴とするデジタルコンテンツの共同制作支援システム。
【請求項１３】
請求項１〜１２のいずれかに記載の支援システムにおいて、
作品募集要綱提示部が、応募作品登録部に既に登録済みの応募作品を必須構成要素とする合作物についての作品募集要綱を提示する機能を有することを特徴とするデジタルコンテンツの共同制作支援システム。
【請求項１４】
請求項１〜１３のいずれかに記載の支援システムを構成する端末装置もしくはサーバ装置、または前記端末装置もしくは前記サーバ装置としてコンピュータを機能させるためのコンピュータプログラム。
【請求項１５】
複数の制作者にそれぞれ作品の一部を担当させ、個々の制作者による担当部分を組み合わせた合作物としてデジタルコンテンツを制作する作業を支援する方法であって、
個々の制作者が利用する端末装置に対して、ネットワークを介して、制作予定となる合作物について、テーマおよびその構成を示す作品募集要綱を提示する作品募集要綱提示段階と、
前記作品募集要綱に基づいて各制作者が制作した応募作品を、ネットワークを介して受信し、これをコンピュータに登録する応募作品登録段階と、
前記作品募集要綱に基づいて、登録した応募作品を組み合わせて合作物を作成する合作物作成段階と、
作成した合作物を、ネットワークを介して各端末装置に対して提示する合作物提示段階と、
各端末装置から、提示した合作物に関する評価情報をネットワークを介して収集し、収集した評価情報に基づいて当該合作物の公開許否を判定する処理をコンピュータに実行させる許否判定段階と、
を有することを特徴とするデジタルコンテンツの共同制作支援方法。
【請求項１６】
請求項１５に記載の支援方法において、
許否判定段階で、評価対象となる合作物について、公開の許可もしくは不許可のいずれかの意志表示を示す評価情報を、当該合作物の全共同制作者から収集し、全共同制作者から許可の意志表示を示す評価情報が得られた場合にのみ、当該合作物についての公開を許可する旨の判定を行うことを特徴とするデジタルコンテンツの共同制作支援方法。
【請求項１７】
請求項１５に記載の支援方法において、
許否判定段階で、評価対象となる合作物について、段階的評価値を示す評価情報を各共同制作者から収集し、収集した段階的評価値を所定のアルゴリズムに基づいて統合することにより得られる統合評価値が、所定の基準値以上であった場合に、当該合作物についての公開を許可する旨の判定を行うことを特徴とするデジタルコンテンツの共同制作支援方法。
【請求項１８】
請求項１７に記載の支援方法において、
許否判定段階で、１人の共同制作者から最低レベルの評価値が得られた場合に、公開を不許可とする判定が行われるアルゴリズムを用いることを特徴とするデジタルコンテンツの共同制作支援方法。
【発明の詳細な説明】
【技術分野】
【０００１】
本発明は、デジタルコンテンツの共同制作支援システムおよび共同制作支援方法に関し、特に、複数の制作者にそれぞれ作品の一部を担当させ、個々の制作者による担当部分を組み合わせた合作物としてデジタルコンテンツを制作する作業を支援する技術に関する。
【背景技術】
【０００２】
インターネットを中核とするデジタル社会の到来により、文字データ、画像データ、動画データ、音楽データなど、様々なデジタルコンテンツの利用が図られており、今後、このようなデジタルコンテンツの需要は益々増加するものと予想される。このような需要に応じるためには、１つのデジタルコンテンツの制作を複数の制作者の手に委ねるという運用が必要になってくる。デジタルコンテンツは、一般の著作物に比べて、加工作業や合成作業が容易であるため、二次的著作物への利用に供しやすい。また、ネットワークを介して容易に転送することが可能であるため、遠隔地にいる複数の共同制作者に、それぞれ作品の一部を担当させ、個々の制作者による担当部分を組み合わせた合作物として、１つのデジタルコンテンツを作成する、という手法をとるのにも適している。
【０００３】
たとえば、下記の特許文献１には、原著作者が作成したデジタルコンテンツをデータベースとして登録しておき、二次著作者が、ネットワークを介して、登録されたデジタルコンテンツを入手して、二次利用できるようにするデジタルコンテンツの共同制作支援システムが開示されている。二次著作者は、原著作者が作成したデジタルコンテンツに加工を施し、二次的著作物を作成することができる。
【特許文献１】特開２００１−２９０７８１号公報
【発明の開示】
【発明が解決しようとする課題】
【０００４】
しかしながら、上記特許文献１などに開示されている従来の技術には、次のような問題がある。まず、第１に、著作物の一般的な制作者は、自己の作品に対して他人が手を入れて加工することを好ましく思っていないため、二次利用の促進が困難になる点である。特に、インターネット上では、互いに見知らぬ者同士が匿名性をもって出会う機会が多くなるが、全く見ず知らずの者に対して、自己の著作物の二次利用を許可することに抵抗を示す制作者も少なくない。第２に、複数の制作者による共同制作を行うには、制作者相互間の信頼関係の構築が重要になるが、従来提案されているシステムでは、このような信頼関係の構築が困難である。映画などの共同制作物の場合、通常、プロデューサが共同制作者をまとめながら、相互間の信頼関係を構築する役割を果たすことになる。しかしながら、従来提案されている共同制作支援システムでは、共同制作者相互間の信頼関係を構築する役割を十分に果たすことができない。そして第３に、従来提案されているシステムでは、共同制作物の目的提示が明確になされていないため、ある１つのまとまりをもった合作物を共同制作する企画自体を進展させてゆくことが困難である。
【０００５】
そこで本発明は、複数の制作者の共同制作による合作物としてデジタルコンテンツを制作する作業を促進させることができるデジタルコンテンツの共同制作支援システムおよび支援方法を提供することを目的とする。
【課題を解決するための手段】
【０００６】
(1)   本発明の第１の態様は、複数の制作者にそれぞれ作品の一部を担当させ、個々の制作者による担当部分を組み合わせた合作物としてデジタルコンテンツを制作する作業を支援するためのデジタルコンテンツの共同制作支援システムを、個々の制作者が利用する端末装置と、これら端末装置に対してネットワークを介して接続されたサーバ装置と、によって構成し、
サーバ装置には、
制作予定となる合作物について、テーマおよびその構成を示す作品募集要綱を提示する作品募集要綱提示部と、
この作品募集要綱に基づいて各制作者が制作した応募作品を、各端末装置からネットワークを介して受信し、これを登録する応募作品登録部と、
作品募集要綱に基づいて、登録されている応募作品を組み合わせて合作物を作成する合作物作成部と、
作成された合作物を各端末装置に対して提示する合作物提示部と、
各端末装置からネットワークを介して収集した評価情報に基づいて、合作物の公開許否を判定する許否判定部と、
を設け、
端末装置には、
ネットワークを介して作品募集要綱を閲覧する作品募集要綱閲覧部と、
制作した応募作品をネットワークを介してサーバ装置に送信する作品送信部と、
ネットワークを介して合作物を閲覧する合作物閲覧部と、
閲覧した合作物に対する評価情報を入力する評価情報入力部と、
入力した評価情報の全部もしくは一部を、ネットワークを介してサーバ装置に送信する評価情報送信部と、
を設けるようにしたものである。
【０００７】
(2)   本発明の第２の態様は、上述した第１の態様に係るデジタルコンテンツの共同制作支援システムにおいて、
評価情報入力部が、評価対象となる合作物について、公開の許可もしくは不許可のいずれかの意志表示を示す評価情報を入力する機能を有し、
評価情報送信部が、この意志表示をサーバ装置に送信する機能を有し、
許否判定部が、判定対象となる合作物について、すべての共同制作者から許可の意志表示を示す評価情報が得られた場合にのみ、当該合作物についての公開を許可する旨の判定を行うようにしたものである。
【０００８】
(3)   本発明の第３の態様は、上述した第１の態様に係るデジタルコンテンツの共同制作支援システムにおいて、
評価情報入力部が、評価対象となる合作物について、段階的評価値を示す評価情報を入力する機能を有し、
評価情報送信部が、この段階的評価値をサーバ装置に送信する機能を有し、
許否判定部が、所定のアルゴリズムに基づいて、判定対象となる合作物についてのすべての共同制作者から得られた段階的評価値を統合し、その結果として得られる統合評価値が、所定の基準値以上であった場合に、当該合作物についての公開を許可する旨の判定を行うようにしたものである。
【０００９】
(4)   本発明の第４の態様は、上述した第３の態様に係るデジタルコンテンツの共同制作支援システムにおいて、
許否判定部が、１人の共同制作者から最低レベルの評価値が得られた場合に、公開を不許可とする判定が行われるアルゴリズムを用いるようにしたものである。
【００１０】
(5)   本発明の第５の態様は、上述した第３または第４の態様に係るデジタルコンテンツの共同制作支援システムにおいて、
評価情報入力部が、評価対象となる合作物を構成する個々の応募作品のうち、他の共同制作者の個々の作品もしくは自己の作品も含めた全作品についての個別評価値を入力する機能を有し、
評価情報送信部が、個別評価値もしくは個別評価値に基づいて求めた合作物についての総合評価値またはその双方を、評価対象となる合作物についての段階的評価値としてサーバ装置に送信する機能を有するようにしたものである。
【００１１】
(6)   本発明の第６の態様は、上述した第５の態様に係るデジタルコンテンツの共同制作支援システムにおいて、
評価情報送信部が、他の共同制作者の個々の作品についての個別評価値をサーバ装置に送信する機能を有し、
許否判定部が、公開許可と判定した合作物についての各制作者ごとに支払う対価を、個別評価値を考慮して決定する機能を更に有するようにしたものである。
【００１２】
(7)   本発明の第７の態様は、上述した第１の態様に係るデジタルコンテンツの共同制作支援システムにおいて、
端末装置に、更に、
評価情報入力部に入力した評価情報を評価履歴として保存する評価履歴保存部と、
この評価履歴を提示する評価履歴提示部と、
を設けるようにしたものである。
【００１３】
(8)   本発明の第８の態様は、上述した第７の態様に係るデジタルコンテンツの共同制作支援システムにおいて、
評価情報入力部が、評価対象となる合作物を構成する個々の応募作品のうち、少なくとも他の共同制作者の個々の作品についての個別評価値を入力する機能を有し、
評価履歴保存部が、個別評価値を個々の制作者ごとの評価履歴として保存する機能を有し、
評価履歴提示部が、個々の制作者ごとに、評価履歴に基づいて求めた当該制作者に対する総合評価を提示する機能を有するようにしたものである。
【００１４】
(9)   本発明の第９の態様は、上述した第８の態様に係るデジタルコンテンツの共同制作支援システムにおいて、
評価履歴提示部が、作品募集要綱閲覧部による閲覧画面を利用して、各制作者に対する総合評価の提示を行うようにしたものである。
【００１５】
(10)  本発明の第１０の態様は、上述した第９の態様に係るデジタルコンテンツの共同制作支援システムにおいて、
評価履歴提示部が、応募作品登録部への登録状況を参照することにより、制作予定となる合作物について既に応募済の制作者を認識し、当該応募済の制作者に対する総合評価に基づいて、当該合作物についての作品募集要綱の提示態様を変える機能を有するようにしたものである。
【００１６】
(11)  本発明の第１１の態様は、上述した第１０の態様に係るデジタルコンテンツの共同制作支援システムにおいて、
応募作品登録部が、作品に応募する旨の各制作者の意志表示に基づいて予約登録を行う機能を有し、
評価履歴提示部が、応募作品登録部への予約登録の状況を参照することにより、制作予定となる合作物について参加予定の制作者を認識し、当該参加予定の制作者に対する総合評価に基づいて、当該合作物についての作品募集要綱の提示態様を変える機能を有するようにしたものである。
【００１７】
(12)  本発明の第１２の態様は、上述した第１〜第１１の態様に係るデジタルコンテンツの共同制作支援システムにおいて、
合作物作成部が、応募作品登録部に登録されている応募作品について、作品募集要綱に示されている構成に応じて可能なすべての組み合わせパターンを求め、このすべての組み合わせパターンに対応する合作物の作成をそれぞれ行うようにしたものである。
【００１８】
(13)  本発明の第１３の態様は、上述した第１〜第１２の態様に係るデジタルコンテンツの共同制作支援システムにおいて、
作品募集要綱提示部が、応募作品登録部に既に登録済みの応募作品を必須構成要素とする合作物についての作品募集要綱を提示する機能を有するようにしたものである。
【００１９】
(14)  本発明の第１４の態様は、上述した第１〜第１３の態様に係るデジタルコンテンツの共同制作支援システムを構成する端末装置もしくはサーバ装置としてコンピュータを機能させるためのコンピュータプログラムを用意するようにしたものである。
【００２０】
(15)  本発明の第１５の態様は、複数の制作者にそれぞれ作品の一部を担当させ、個々の制作者による担当部分を組み合わせた合作物としてデジタルコンテンツを制作する作業を支援するデジタルコンテンツの共同制作支援方法において、
個々の制作者が利用する端末装置に対して、ネットワークを介して、制作予定となる合作物について、テーマおよびその構成を示す作品募集要綱を提示する作品募集要綱提示段階と、
作品募集要綱に基づいて各制作者が制作した応募作品を、ネットワークを介して受信し、これをコンピュータに登録する応募作品登録段階と、
作品募集要綱に基づいて、登録した応募作品を組み合わせて合作物を作成する合作物作成段階と、
作成した合作物を、ネットワークを介して各端末装置に対して提示する合作物提示段階と、
各端末装置から、提示した合作物に関する評価情報をネットワークを介して収集し、収集した評価情報に基づいて当該合作物の公開許否を判定する処理をコンピュータに実行させる許否判定段階と、
を行うようにしたものである。
【００２１】
(16)  本発明の第１６の態様は、上述した第１５の態様に係るデジタルコンテンツの共同制作支援方法において、
許否判定段階で、評価対象となる合作物について、公開の許可もしくは不許可のいずれかの意志表示を示す評価情報を、当該合作物の全共同制作者から収集し、全共同制作者から許可の意志表示を示す評価情報が得られた場合にのみ、当該合作物についての公開を許可する旨の判定を行うようにしたものである。
【００２２】
(17)  本発明の第１７の態様は、上述した第１５の態様に係るデジタルコンテンツの共同制作支援方法において、
許否判定段階で、評価対象となる合作物について、段階的評価値を示す評価情報を各共同制作者から収集し、収集した段階的評価値を所定のアルゴリズムに基づいて統合することにより得られる統合評価値が、所定の基準値以上であった場合に、当該合作物についての公開を許可する旨の判定を行うようにしたものである。
【００２３】
(18)  本発明の第１８の態様は、上述した第１７の態様に係るデジタルコンテンツの共同制作支援方法において、
許否判定段階で、１人の共同制作者から最低レベルの評価値が得られた場合に、公開を不許可とする判定が行われるアルゴリズムを用いるようにしたものである。
【発明の効果】
【００２４】
本発明に係るデジタルコンテンツの共同制作支援システムおよび支援方法によれば、複数の制作者の共同制作による合作物としてデジタルコンテンツを制作する作業を促進させることができるようになる。
【発明を実施するための最良の形態】
【００２５】
以下、本発明を図示する実施形態に基づいて説明する。
【００２６】
＜＜＜  §１．基本的な実施形態  ＞＞＞
図１は、本発明に係るデジタルコンテンツの共同制作支援システムの基本的な実施形態の構成を示すブロック図である。この支援システムは、複数の制作者にそれぞれ作品の一部を担当させ、個々の制作者による担当部分を組み合わせた合作物としてデジタルコンテンツを制作する作業を支援する機能を有する。
【００２７】
図示のとおり、この支援システムの基本構成要素は、サーバ装置１００と端末装置２００であり、両者はネットワーク３００（この例では、インターネット）を介して接続されている。端末装置２００は、個々の制作者が利用する装置であり、図には１台の端末装置２００のみが代表として描かれているが、実際には、個々の制作者がそれぞれ１台ずつ端末装置２００を用いることになる。ここに示す実施形態の場合、インターネットに接続する機能をもった汎用パソコンに専用のソフトウエアを組み込むことにより、端末装置２００を構成している。一方、サーバ装置１００は、この例では単独のサーバコンピュータによって構成されているが、もちろん、複数台のサーバコンピュータ（たとえば、Ｗｅｂサーバやデータベースサーバなど）によってサーバ装置１００を構成してもかまわない。
【００２８】
図示のとおり、サーバ装置１００は、作品募集要綱提示部１１０、応募作品登録部１２０、合作物作成部１３０、合作物提示部１４０、許否判定部１５０によって構成されており、端末装置２００は、作品募集要綱閲覧部２１０、作品送信部２２０、合作物閲覧部２３０、評価情報入力部２４０、評価情報送信部２５０によって構成されている。実際には、これらの各構成要素は、サーバ装置１００を構成するコンピュータに組み込まれたプログラムあるいは端末装置２００を構成するコンピュータに組み込まれたプログラムによって実現される要素であるが、ここでは説明の便宜上、これらプログラムによって実現される機能を、個々のブロックで示すことにする。
【００２９】
まず、作品募集要綱提示部１１０は、制作予定となる合作物について、テーマおよびその構成を示す作品募集要綱を提示する機能を果たす。この作品募集要綱提示部１１０によって提示された作品募集要綱は、インターネット３００を介して、端末装置２００側へと送信される。作品募集要綱閲覧部２１０は、ネットワークを介して作品募集要綱を閲覧するための構成要素である。作品募集要綱閲覧部２１０は、専用のソフトウエアによって実現することも可能であるが、作品募集要綱提示部１１０からの作品募集要綱の提示を、Ｗｅｂページ上で行うようにすれば、作品募集要綱閲覧部２１０は、汎用のＷｅｂブラウザソフトウエアによって実現することもできる。各制作者は、端末装置２００上に提示された作品募集要綱を見て、テーマおよび構成が気に入るものがあれば、創作活動を行い、これに応募することになる。
【００３０】
作品送信部２２０は、作品募集要綱に基づいて制作者が制作した応募作品を、インターネット３００を介してサーバ装置１００に送信する機能を有する。一方、応募作品登録部１２０は、各制作者が制作した応募作品を、各端末装置２００からインターネット３００を介して受信し、これを登録する機能を有する。本発明における応募作品はデジタルコンテンツであるため、ネットワークを介してデジタルデータとして送信することが可能であり、これをサーバ装置内にデジタルデータとして保存することが可能である。前述したとおり、実際には、複数の制作者がそれぞれ端末装置２００を介してサーバ装置１００へアクセスすることが可能であり、応募作品も複数の制作者からそれぞれ寄せられることになる。応募作品登録部１２０には、個々の応募作品が、どの作品募集要綱に基づく応募作品であり、どの制作者から寄せられた応募作品であるか、といった書誌的情報とともに保存されることになる。
【００３１】
合作物作成部１３０は、作品募集要綱提示部１１０によって提示した作品募集要綱に基づいて、応募作品登録部１２０内に登録されている応募作品を組み合わせて合作物を作成し、これを保存する処理を行う。上述したように、作品募集要綱提示部１１０によって所定の作品募集要綱を提示すると、随時、応募作品が寄せられるようになり、応募作品登録部１２０内には、応募作品が徐々に蓄積されてゆくことになる。合作物作成部１３０は、こうして集まった応募作品を組み合わせることにより合作物を作成する。合作物の作成処理の具体例は後述するが、作品募集要綱には、制作対象となる合作物についての構成を示す情報が含まれているので、合作物作成部１３０は、この構成を示す情報を参照することにより、合作物の作成を行うことができる。
【００３２】
こうして作成された合作物は、合作物提示部１４０によって提示される。各制作者は、合作物閲覧部２３０によって、この提示された合作物を端末装置２００上で閲覧することができる。合作物閲覧部２３０は、専用のソフトウエアによって実現することも可能であるが、合作物提示部１４０からの合作物の提示を、Ｗｅｂページ上で行うようにすれば、合作物閲覧部２３０は、汎用のＷｅｂブラウザソフトウエアによって実現することもできる。
【００３３】
各制作者に合作物の提示を行うのは、当該合作物について評価を行ってもらうためである。具体的な評価方法については後述するが、個々の制作者は、自己の応募作品を含む合作物を合作物閲覧部２３０によって閲覧した上で、当該合作物についての評価を行う。評価情報入力部２４０は、閲覧した合作物に対する評価情報を入力する機能を果たし、評価情報送信部２５０は、入力した評価情報の全部もしくは一部を、インターネット３００を介してサーバ装置１００に送信する機能を果たす。一方、サーバ装置１００側の許否判定部１５０は、各端末装置２００からインターネット３００を介して収集した評価情報に基づいて、合作物の公開許否を判定する処理を行う。この判定処理の具体的な方法については後述するが、個々の合作物のそれぞれについて、公開許可もしくは公開不許可のいずれかの判定結果が得られることになる。
【００３４】
ここに示す実施形態では、許否判定部１５０による判定結果を、合作物作成部１３０へと伝えるようにしている。合作物作成部１３０内には、作成した合作物が、デジタルコンテンツデータとして保存されている。個々の合作物についての判定結果は、このデジタルコンテンツデータに付加される。そうすることにより、個々の合作物ごとに、それぞれ利用可能なデジタルコンテンツ（公開許可の判定が得られた合作物の場合）であるのか、利用不能なデジタルコンテンツ（公開不許可の判定が得られた合作物の場合）であるのか、を区別することができる。利用可能なデジタルコンテンツは、所期の目的に利用されることになり、利用不能なデジタルコンテンツは、いわゆる「ボツ」作品として収蔵されるか、消去されることになる。
【００３５】
以上、サーバ装置１００と端末装置２００との間の情報のやりとりを説明しながら、本発明に係るデジタルコンテンツの共同制作支援システムの基本動作を説明したが、実用上は、両者間の情報のやりとりには、必要なセキュリティ対策を施しておくのが好ましい。たとえば、作品募集要綱提示部１１０による作品募集要綱の提示や、合作物提示部１４０による合作物の提示を、Ｗｅｂページ上で行うと、上述したとおり、作品募集要綱閲覧部２１０や合作物閲覧部２３０を汎用のＷｅｂブラウザソフトウエアを利用して構成することができるため便利であるが、不特定多数の者からのアクセスを受け付けるのは好ましくない。したがって、実用上は、この支援システムを用いた共同制作に参加する意思のある制作者を予め会員として登録しておき、作品募集要綱提示部１１０は、閲覧時に会員アカウントとパスワードを要求するようにして、当該会員登録を行った者に対してのみ作品募集要綱の提示を行うようにするのが好ましい。また、合作物提示部１４０も同様に、閲覧時に会員アカウントとパスワードを要求するようにして、合作物の当事者となった会員（合作物の一部に自己の応募作品が利用されている会員）に対してのみ、当該合作物の提示を行うようにするのが好ましい。また、個々の応募作品には、改ざんの防止を図るために、必要に応じて、各制作者によるデジタル署名を付加したり、暗号化処理を施したりするのが好ましい。
【００３６】
＜＜＜  §２．より具体的な実施形態  ＞＞＞
続いて、本発明のより具体的な実施形態を説明する。図２は、作品募集要綱提示部１１０によって提示される作品募集要綱の基本構成を示すブロック図である。上述したとおり、作品募集要綱は、制作予定となる合作物について、「テーマ」およびその「構成」を示すものである。ここで、「テーマ」は、いわば当該合作物についての「お題」というべきものであり、共同制作を行うにあたっての共通の目的、思想を示すものである。一方、「構成」は、文字どおり、当該合作物がどのような構成要素からなり立っているかを示す情報である。たとえば、図２に示す例の場合、第１ピースから第４ピースまで、４つのピースを組み合わせることにより、所定のテーマをもった合作物が構成されることが示されている。応募は、個々のピースごとに行われる。各制作者は希望のピースを選択し、当該ピースに対応する作品として、応募作品を提出することになる。なお、実用上は、作品募集要綱には、募集締切日、採用になった場合の報酬、同一制作者による複数ピース応募の可否、などの情報も入れておくようにするのが好ましい。
【００３７】
図３は、作品募集要綱の具体例の１例を示す図である。この具体例１では、「車内迷惑行為（地震・雷・火事・おやじに関連した４コマ漫画）」なるテーマが定められており、その構成として、図示のような４つのピースの配置と、各ピースの画像サイズ「６４０×８００」が定められている。各制作者は、端末装置２００の画面上で、図３に示すような作品募集要綱を閲覧することができ、その内容を把握することができる。この例では、テーマは文字列によって提示され、構成は図面によって提示されているが、テーマや構成の提示方法は、必ずしもこの例に限定されるものではない。たとえば、１枚の写真によって示される何らかのイメージをテーマとして提示することも可能であるし、文章による説明によって構成を提示することも可能である。
【００３８】
なお、このような作品募集要綱の内容は、所望のデジタルコンテンツを必要としている発注者によって予め定められ、作品募集要綱提示部１１０に格納されることになる。ここでは、作品募集要綱提示部１１０に個々の作品募集要綱を格納するプロセスについての詳細な説明は省略するが、たとえば、コンテンツの発注者が、インターネット３００を介して特定のＵＲＬをアクセスし、所望の作品募集要綱を登録する手続きを行うと、当該作品募集要綱が、作品募集要綱提示部１１０によって各制作者に提示されるような仕組みにしておけばよい。
【００３９】
図３に示すような作品募集要綱を閲覧した制作者は、当該要綱に係る作品が、車内迷惑行為を題材とした４コマ漫画であり、起承転結の４枚のピース（画像サイズは、６４０×８００ドット）から構成されており、しかも第１ピース〜第４ピースが、それぞれ地震・雷・火事・おやじに関連した内容をもった作品となる、という企画であることを認識する。各制作者は、このような企画の募集要綱に賛同し、これに参加する意思があれば、特定のピースを選択して、募集要綱に合致するような作品の制作にとりかかることになる。
【００４０】
ここでは、一例として、６人の制作者Ａ〜Ｆが、この図３に示す作品募集要綱に賛同し、それぞれ図４に示すような応募作品を制作したものとしよう。応募作品ａは、制作者Ａによって制作された第２のピース「承」についての「雷」に関連した作品であり、応募作品ｂは、制作者Ｂによって制作された第３のピース「転」についての「火事」に関連した作品であり、応募作品ｃは、制作者Ｃによって制作された第１のピース「起」についての「地震」に関連した作品であり、応募作品ｄは、制作者Ｄによって制作された第４のピース「結」についての「おやじ」に関連した作品であり、応募作品ｅは、制作者Ｅによって制作された第４のピース「結」についての「おやじ」に関連した作品であり、応募作品ｆは、制作者Ｆによって制作された第３のピース「転」についての「火事」に関連した作品である。いずれの作品も、「車内迷惑行為」という共通の題材を意図した作品になっている。
【００４１】
各制作者Ａ〜Ｆは、各応募作品ａ〜ｆの制作が完了すると、これをインターネット３００を介してサーバ装置１００へと送信し、応募作品登録部１２０へと登録する処理を行う。ここでは、募集締切日の時点で、応募作品登録部１２０内に、図４に示すような６つの応募作品ａ〜ｆが登録された状態になっていたものとしよう。
【００４２】
合作物作成部１３０は、作品募集要綱に基づいて、登録されている応募作品を組み合わせて合作物を作成するが、このとき、応募作品登録部１２０に登録されている応募作品について、作品募集要綱に示されている構成に応じて可能なすべての組み合わせパターンを求め、このすべての組み合わせパターンに対応する合作物の作成をそれぞれ行う。たとえば、図４に示す例の場合、第１のピースは応募作品ｃのみであり、第２のピースは応募作品ａのみであるが、第３のピースは応募作品ｂ，ｆの２組、第４のピースは応募作品ｄ，ｅの２組である。したがって、これら６つの応募作品ａ〜ｆを用いて、図３に示す作品応募要綱の「構成」条件に合致する合作物を作成するとなると、図５に示すように、全４通りの組み合わせパターンが考えられることになる。そこで、合作物作成部１３０は、この４通りの組み合わせパターンに基づいて、４通りの合作物Ｇ１〜Ｇ４を自動的に作成する処理を行う。
【００４３】
図６は、具体的に作成された合作物Ｇ１を示す平面図である。この合作物Ｇ１は、図３に示されている構成にしたがって、応募作品ｃ，ａ，ｂ，ｄを順に配置したものである。個々の応募作品の画像サイズを、６４０×８００ドットなどと定めておき、また、個々の画像の割付位置、画像間の間隔、余白の寸法なども、予め作品募集要綱内の「構成」を示す情報として定めておけば、合作物作成部１３０は、合作物Ｇ１を作成する処理を自動的に行うことができる。なお、作品募集要綱の条件を満たしていない応募作品が応募作品登録部１２０内に登録されてしまうと、不適切な合作物が作成されてしまうことになるので、実用上は、この支援システムの管理者によるチェックにより合格した応募作品のみが、応募作品登録部１２０内に正式に登録されるような運用を行うのが好ましい。
【００４４】
合作物作成部１３０によって作成された合作物は、個々の応募作品をそっくりそのまま含むものになる。たとえば、図６に示す合作物Ｇ１には、応募作品ｃ，ａ，ｂ，ｄがそっくりそのままの形で含まれている。別言すれば、個々の応募作品それ自体には、何ら加工は施されていないことになる。合作物作成部１３０が、自動的に合作物の作成処理を行うことができるのは、個々の応募作品自体には何ら手を加える必要はなく、予め作品募集要綱内の「構成」を示す情報に基づいて、個々の応募作品を一義的に組み合わせる処理を行えばよいからである。
【００４５】
ここに示す実施形態では、合作物作成部１３０は、図７に示すようなデータ構造をもった合作物Ｇ１を作成する。このデータ構造は、一般にＸＭＬフォーマットと呼ばれている構造である。ここでは説明の便宜上、合作物をＸＭＬフォーマットで記述した例を示すが、もちろん、本発明を実施する上では、合作物をどのようなフォーマットで記述してもかまわない。
【００４６】
図７において、「テーマ」、「応募作品ｃ」、「応募作品ａ」、「応募作品ｂ」、「応募作品ｄ」は、説明の便宜のために付加した見出しであり、破線で囲った部分が、各見出しに対応した内容の実データ部分である。先頭行の<codex>から最終行の</codex>によって挟まれた部分が、合作物Ｇ１の内容を示すデータとなっている。「テーマ」なる見出し部分の<parent>から</parent>によって挟まれた部分が、合作物Ｇ１全体に関する説明部分であり、<id>タグと</id>タグとで挟まれた「d53」は、当該合作物Ｇ１の識別コードを示しており、<title>タグと</title>タグとで挟まれた「車内迷惑行為」は、当該合作物Ｇ１の「テーマ」の内容を示している。
【００４７】
一方、「応募作品ｃ」なる見出し部分の<element id="101">から</element>によって挟まれた部分が、応募作品ｃについての記述部分であり、<element id="101">なるタグは、応募作品ｃの識別コードが「１０１」であることを示している。また、<holder>タグと</holder>タグとで挟まれた「制作者Ｃ」は、この応募作品ｃの制作者が「制作者Ｃ」であることを示し、<label>タグと</label>タグとで挟まれた「peace1」は、この応募作品ｃが、合作物Ｇ１の構成上の第１のピースであることを示している。更に、<z-index>タグと</z-index>タグとで挟まれた「４」は、この応募作品ｃのレイヤー上の優先度を示しており、<file>タグと</file>タグとで挟まれた「F001.jpg」は、この応募作品ｃのデータファイルが、ファイル名「F001.jpg」として保存されていることを示している。応募作品ａ，ｂ，ｄの記述部分についても同様である。
【００４８】
なお、レイヤー上の優先度とは、複数の応募作品が二次元平面上で部分的に重畳して配置されるような場合に、いずれを優先的に表示するかを決定するパラメータである。図７に示す例の場合、<z-index>タグと</z-index>タグとで挟まれたレイヤー上の優先度は、応募作品ｄ，ｂ，ａ，ｃの順となっている。もっとも、合作物Ｇ１では、図６に示すように、４つの応募作品ｃ，ａ，ｂ，ｄが互いに重なることなく配置されるので、実質的に、レイヤー上の優先度は意味をもたない。
【００４９】
図６に示すような合作物Ｇ１は、合作物提示部１４０によって、当該合作物の制作に関与した４人の共同制作者Ａ，Ｂ，Ｃ，Ｄに提示される。各共同制作者Ａ，Ｂ，Ｃ，Ｄは、それぞれ自己用の端末装置２００の合作物閲覧部２３０を利用して、合作物Ｇ１の閲覧を行うことになる。この時点では、まだ、合作物Ｇ１を一般公開することはできないので、合作物Ｇ１は、その一部を担当した４人の共同制作者（および、必要に応じて一部の関係者）にのみ閲覧させるようにする。４人の共同制作者Ａ，Ｂ，Ｃ，Ｄに、この合作物Ｇ１を閲覧させるのは、当該合作物Ｇ１の公開許否の判断材料を収集するために他ならない。
【００５０】
各共同制作者Ａ，Ｂ，Ｃ，Ｄが、自己用の端末装置２００の評価情報入力部２４０に、それぞれ閲覧した合作物に対する評価情報を入力すると、評価情報送信部２５０によって、これらの評価情報は、インターネット３００を介してサーバ装置１００へと送信される。許否判定部１５０は、各端末装置２００から、これらの評価情報を収集し、収集した評価情報に基づいて当該合作物の公開許否を判定する。以下、具体的な評価方法や具体的な判定方法のいくつかの例を述べておく。
【００５１】
最も単純な評価方法は、評価情報入力部２４０に対して、評価対象となる合作物について、公開の許可もしくは不許可のいずれかの意志表示を示す評価情報を入力する方法である。たとえば、図６に示す合作物Ｇ１の場合、４人の共同制作者Ａ，Ｂ，Ｃ，Ｄが、それぞれ合作物Ｇ１に対する評価を行うことになるが、それぞれが、当該合作物Ｇ１の公開を許可するか、公開を不許可とするか、のいずれかの意志表示を評価情報として入力するようにする。各共同制作者は、この合作物Ｇ１なる４コマ漫画のうちの１コマを受け持って制作をしたわけであるが、公開対象となる著作物は、あくまでも合作物Ｇ１という４コマ漫画である。したがって、各共同制作者は、全４コマの漫画全体として合作物Ｇ１を捉えた上で、公開に価すべきものか否かを判断する必要がある。
【００５２】
たとえば、ある共同制作者は、４コマの漫画のうちの特定の１コマが、あまりに下品である、という理由で、この合作物Ｇ１としては、自己の作品を公開したくない、と考えるかもしれない。あるいは、４コマの漫画の１コマ１コマの出来栄えは良いのだが、４コマ全体として見ると、バランス感覚に欠き、公開はしたくない、と考えるかもしれない。このように、各共同制作者が入力する評価情報は、あくまでも合作物全体に対して、これを公開すべきか否かを示す評価を示すものになる。
【００５３】
許否判定部１５０は、これら各共同制作者から収集した全評価情報を勘案して、最終的に、合作物Ｇ１を公開すべきか否かを判定する処理を行う。ただ、実用上は、判定対象となる合作物について、すべての共同制作者から許可の意志表示を示す評価情報が得られた場合にのみ、当該合作物についての公開を許可する旨の判定を行うようにするのが好ましい。これは、個々の共同制作者のそれぞれが、自己の応募作品について、著作権法第１８条第１項の公表権を有しているため、たとえ１人でも、不許可の意志表示を示した共同制作者があった場合には、当該共同制作者の応募作品を含む合作物を勝手に公開することは、好ましくないからである。したがって、図６に示す合作物Ｇ１の場合、４人の共同制作者Ａ，Ｂ，Ｃ，Ｄの全員から公開許可の意志表示を示す評価情報が得られた場合のみ、許否判定部１５０は、許可の判定を下すことになる。
【００５４】
もっとも、人間の下す評価は、必ずしも許可／不許可の２通りに集約されるものではなく、ある程度の段階的評価が行われるのが一般的である。たとえば、自分自身の評価としては、合作物Ｇ１はあまり公開に価しないものと思われるが、他の３人の共同制作者の評価が高ければ、公開してもかまわない、というような印象をもっていた場合、そのような印象を何らかの形で表明できるような運用を行うのが好ましい。このような観点からは、評価情報入力部２４０には、評価対象となる合作物について、段階的評価値を示す評価情報を入力できるようにしておき、この段階的評価値が、評価情報送信部２５０によってサーバ装置１００へと送信されるようにしておけばよい。この場合、許否判定部１５０は、所定のアルゴリズムに基づいて、判定対象となる合作物についてのすべての共同制作者から得られた段階的評価値を統合し、その結果として得られる統合評価値が、所定の基準値以上であった場合に、当該合作物についての公開を許可する旨の判定を行うようにすればよい。
【００５５】
たとえば、０点〜１００点までの得点を段階的評価値として用いるようにし、各共同制作者に、合作物についての得点を評価情報として評価情報入力部２４０に入力してもらうようにする。そして、許否判定部１５０には、各共同制作者が評価情報として入力した得点の平均値が７０点以上であれば公開許可、７０点未満であれば公開不許可、とする判定アルゴリズムを用意しておけばよい。そうすれば、公開に積極的に賛成する共同制作者は、たとえば、１００点とか、９０点といった高得点を評価情報として入力すればよいし、公開するか否かが半々程度の共同制作者は、７０点前後の得点を評価情報として入力することにより、他の共同制作者の判断に委ねる旨の意志表示をすればよい。また、できれば公開したくないと思うが、他の共同制作者が公開に積極的であれば、公開もやむを得ないだろうという消極的な共同制作者の場合は、たとえば、３０点というような低い得点を評価情報として入力すればよい。
【００５６】
なお、このように段階的評価値を評価情報として用いる場合は、絶対に公開したくない、という意志表示が可能な運用形態を採るのが好ましい。前述したとおり、著作権法上は、共同制作者の中に、公開に断固反対する者が１人でもいれば、その者の意志は尊重されるべきである。上述の例の場合、４人の共同制作者Ａ，Ｂ，Ｃ，Ｄのうち、制作者Ａが公開に断固反対であり、合作物Ｇ１に対して０点なる最低レベルの評価値を与えたとしても、他の制作者Ｂ，Ｃ，Ｄがそれぞれ１００点なる評価値を与えたとすると、平均値は７５点となるので、平均値が７０点以上であれば公開許可、とする判定アルゴリズムでは、制作者Ａの意志に反して、合作物Ｇ１は公開されてしまうことになる。
【００５７】
そこで、実用上は、１人の共同制作者から最低レベルの評価値が得られた場合には、公開を不許可とする判定が行われるアルゴリズムを用いるようにするのが好ましい。たとえば、４人の共同制作者がいるケースでは、全共同制作者が与えた得点の平均値が、８０点以上であれば公開許可、８０点未満であれば公開不許可、とする判定アルゴリズムを用意しておけば、１人の共同制作者が最低レベルの評価値である０点を与えれば、他の３人が最高レベルの評価値である１００点を与えたとしても、平均値は基準値８０点に達することはないので、公開に断固反対する者の意志は尊重されることになる。
【００５８】
あるいは、得点とは別に、公開に断固反対する旨の意志表示を評価情報に含ませることができるようにしておき、許否判定部１５０が、この断固反対する旨の意志表示を行った共同制作者が１人でもいた場合には、得点による判定がいかなるものであっても、公開を不許可とする判定を行うようにしてもよい。このような運用を行えば、得点の平均値が７０点以上であれば公開許可、７０点未満であれば公開不許可、とする判定アルゴリズムを用いたとしても、公開に断固反対する者の意志は必ず尊重されることになる。
【００５９】
このように、本発明に係るデジタルコンテンツの共同制作支援システムによれば、個々の制作者の応募作品は、基本的に手を加えることなく、そのままの状態で合作物に組み込まれることになるので、合作物としての二次利用が促進されることになる。また、作品募集要綱にテーマが提示されているので、ある１つのまとまりをもった合作物を共同制作することが可能になる。しかも、最終的な合作物を閲覧した上で、各制作者は、評価情報の入力という形式で、公開を許可するか否かの判断を行うことができる。このように、本発明に係る支援システムを用いれば、複数の制作者の共同制作による合作物としてデジタルコンテンツを制作する作業を促進させることができるようになる。
【００６０】
＜＜＜  §３．合作物のバリエーション  ＞＞＞
続いて、本発明に係る支援システムで利用可能な合作物のバリエーションのいくつかを述べておく。これまで、「車内迷惑行為」なるテーマをもった４コマ漫画を合作物として制作する例を述べたが、もちろん、本発明に係る支援システムは、この他にも種々の態様の合作物を制作する作業を支援することが可能である。
【００６１】
たとえば、図８は、本発明に係る支援システムで提示される作品募集要綱の第２の具体例を示す図である。この具体例２では、「悪夢」なるテーマをもった１枚の画像が提示されており、その構成要素（ピース）は、図示のとおり、３つの人物画像と２つの背景画像である。別言すれば、この具体例２に係る合作物は、５つのピースを合成することにより作成されることになる。ここで、各ピース間には、レイヤー上の優先度が定義されており、人物１，人物２，人物３なる各ピースは、背景１，背景２なる各ピースよりも優先度が高く設定されている。したがって、人物と背景とが部分的に重なった場合は、人物の画像が優先して表示されることになる（人物画像の透明部分には、背景が表示される）。なお、実際の作品募集要綱には、個々の画像のサイズや正確な割付位置などの情報も含まれている。
【００６２】
図９は、図８に示す作品募集要綱に対する応募作品の一例を示す図である。ここでは、５つのピースのそれぞれについて、図示のような応募作品ｇ〜ｋが登録されたものとして、以下の説明を続けることにする。合作物作成部１３０は、この図９に示すような５つの応募作品ｇ〜ｋを用いて、図１０に示すような合作物Ｇ５を作成する処理を行うことができる。もちろん、同一のピースについて複数の応募作品があった場合には、可能な組み合わせの数だけ、異なる合作物が作成されることになる。
【００６３】
図６に示す合作物Ｇ１では、４つの応募作品が並列的に配置されているのに対し、図１０に示す合作物Ｇ５では、５つの応募作品が二次元平面上で重なりながら配置されていることになる。したがって、背景を構成する応募作品ｊ，ｋは、その一部が他の応募作品ｇ，ｈ，ｉによって隠されてしまうことになるが、このように背景の一部が人物によって隠されることは、図８に示す作品募集要綱の構成によって示されており、各制作者には、制作活動を行う時点で、既に知らされている事項ということになる。したがって、背景を担当した各制作者は、「自己の応募作品が勝手に加工された」という印象をもつことはなく、「自己の応募作品がそのまま利用されている」という実感を抱くのが普通である。もちろん、公開の対象となる著作物は、あくまでも合作物Ｇ５という全体の画像であるから、個々の共同制作者は、この合作物Ｇ５の全体についての評価を与えることにより、公開の許否判定に関与することになる。
【００６４】
図１１は、本発明に係る支援システムで提示される作品募集要綱の第３の具体例を示す図である。これまでの例は、いずれも画像を構成するデジタルコンテンツであったが、この具体例３は、作詞に関するデジタルコンテンツである。すなわち、この作品募集要綱は、「ラブソング」なるテーマでの作詞を要求するものであり、その構成は、図示のとおり、Ａメロディ、Ｂメロディ（その１）、サビ（その１）、Ｂメロディ（その２）、サビ（その２）という５つのピースからなる。各制作者は、いずれかのピースを選択して、応募作品を制作することになる。この場合の応募作品は、「詞」からなるデジタルコンテンツであり、テキストデータとして取り扱うことが可能である。
【００６５】
なお、既に作曲が完了しているデジタルコンテンツについて、作詞を募集するような場合は、作品募集要綱として、各ピースについての曲を提示することができるようにするのが好ましい。前述したとおり、作品募集要綱閲覧部２１０は、インターネット３００を介して、作品募集要綱提示部１１０から作品募集要綱の提示を受けることになるが、このとき、作品募集要綱提示部１１０から作品募集要綱閲覧部２１０に対して、音声情報の提示も行うようにすれば、各制作者は、作品募集要綱の一部として、曲の提示を受けることができる。たとえば、図１１に示すような構成をディスプレイ画面上に表示させた状態において、「Ａメロディ」と表示されている矩形部分をマウスでクリックすると、当該部分に対応する曲が端末装置２００のスピーカから流れるようにしておけば、制作者は、作詞を担当する部分についての曲を予め聴くことが可能になる。もちろん、この場合、合作物提示部１４０からは、詞とともに曲が合作物として提示されるようにしておくのが好ましい。
【００６６】
また、作詞が完了している作品について、曲を募集するようなことも可能であるし、上述したような画像の代わりに、動画を募集するようなことも可能である。このように、本発明におけるデジタルコンテンツのデータは、画像データ、動画データ、文字データ、音声データなど、その態様は様々である。
【００６７】
＜＜＜  §４．応募作品ごとの個別評価を行う実施形態  ＞＞＞
ここでは、各共同制作者が、評価情報入力部２４０に対して入力する評価情報に関する工夫について述べる。これまで述べてきた実施形態では、各制作者は、合作物閲覧部２３０によって閲覧した特定の合作物全体に関する評価情報を評価情報入力部２４０へ入力していた。ここで述べる実施形態は、合作物に対する評価を、よりきめ細かく行い、個々の応募作品ごとの個別評価を行うという技術思想に基づくものである。
【００６８】
たとえば、図６に示す４コマ漫画からなる合作物Ｇ１は、４人の共同制作者Ａ，Ｂ，Ｃ，Ｄによる応募作品ａ，ｂ，ｃ，ｄを組み合わせたものである。したがって、この合作物Ｇ１に対する評価を行う上では、個々の応募作品ａ，ｂ，ｃ，ｄごとにそれぞれ個別評価値を与え、これら個別評価値に基づいて、合作物Ｇ１に対する総合評価値を決定することも可能である。
【００６９】
図１２は、このようにして決定された個別評価値と総合評価値との一例を示す表である。この例では、各共同制作者に、それぞれ１００点の持ち点を与え、自分以外の他の共同制作者の応募作品に対して、所望の評価得点を与えることにより、評価情報の入力を行わせている。たとえば、この表の１行目は、共同制作者Ａによる他人の応募作品ｂ，ｃ，ｄについての評価得点を示している。これらの評価得点は、制作者Ａ用の端末装置２００において入力されることになる。具体的には、応募作品ｂに対しては８０点という高い個別評価値が与えられているのに対し、応募作品ｃ，ｄに対してはそれぞれ１０点ずつという低い個別評価値しか与えられていない。同様に、共同制作者Ｂによる他人の評価は２行目に掲載されており、共同制作者Ｃによる他人の評価は３行目に掲載されており、共同制作者Ｄによる他人の評価は４行目に掲載されている。
【００７０】
このように、各共同制作者は、自分以外の共同制作者の応募作品に対して、持ち点１００点を配分する形式で、所定の個別評価値を与えることになる。もっとも、持ち点の１００点は、すべてを使い切る必要はない。図示の例の場合、制作者Ａは持ち点１００点をすべて使い切っているが、制作者Ｂは５５点のみを使い４５点分を余している。同様に、制作者Ｃは９０点のみを使い１０点分を余しており、制作者Ｄは６５点のみを使い３５点分を余している。こうして、他の制作者に与えた個別評価値の合計が、合作物Ｇ１についての総合評価値（表の最も右側の欄に示す値）になる。たとえば、共同制作者Ａが合作物Ｇ１に与えた総合評価値は１００点であるが、共同制作者Ｂの総合評価値は５５点、共同制作者Ｃの総合評価値は９０点、共同制作者Ｄの総合評価値は６５点、ということになる。
【００７１】
ここに示す実施形態の場合、評価情報入力部２４０は、評価対象となる合作物を構成する個々の応募作品のうち、他の共同制作者の個々の作品についての個別評価値を入力した後、これら個別評価値を合計して総合評価値を算出する機能を有し、評価情報送信部２５０は、算出された総合評価値をサーバ装置１００へと送信する機能を有している。たとえば、制作者Ａ用の端末装置２００内の評価情報入力部２４０には、応募作品ｂに対して８０点、応募作品ｃに対して１０点、応募作品ｄに対して１０点という個別評価値が入力されることになり、これらを合計して１００点なる総合評価値が算出されるが、サーバ装置１００側へ送信されるのは、この１００点なる総合評価値のみであり、８０点，１０点，１０点という個別評価値は、制作者Ａ用の端末装置２００内に保存されることになる。
【００７２】
このように、個別評価値をサーバ装置１００側へ送信しない運用をとっているのは、各共同制作者が、他人の応募作品に対して、公正な評価を行うことができるようにするための配慮である。すなわち、他人の応募作品に対する個別評価値が、サーバ装置１００側へ送信されるような運用形態をとると、自分の他人に対する個別評価値が、第三者に知られるおそれがあるので、公正な評価が行われない可能性が出てくるからである（特に、他人に対する悪い評価を与えることに躊躇が生じる可能性が高い）。個別評価値が、自分用の端末装置２００内に留まる運用を採れば、各共同制作者は、自己の他人に対する評価が第三者に知られることはないので、安心して率直な個別評価を下すことができる。これに対して、総合評価値は、個々の個別評価値を合算することにより得られる評価値であり、合作物Ｇ１全体に対する評価値としての意味合いをもつため、サーバ装置１００側に送信されたとしても、公正な評価を阻害する大きな要因にはならないと考えられる。
【００７３】
結局、図１２に示す例の場合、４人の共同制作者Ａ，Ｂ，Ｃ，Ｄ用の各端末装置２００から、サーバ装置１００に対して、１００点，５５点，９０点，６５点という総合評価値のみが送信されてくることになる。許否判定部１５０は、これらの総合評価値に基づいて、合作物Ｇ１の公開許否の判定を行う。たとえば、この総合評価値の合計が３６０点以上（別言すれば、平均点が９０点以上）ならば公開許可というアルゴリズムで判定を行うものとすれば、図示の例の場合、合計は３１０点であるため、公開不許可なる判定がなされることになる。
【００７４】
もちろん、個別評価値をサーバ装置１００側へ送信する運用をとることも可能である。たとえば、サーバ装置１００側の情報管理を厳格に行うようにし、個々の共同制作者が行った他人に対する評価内容が、当該他人をはじめとする第三者には決して漏れることがない、というような厳格な管理を行うことにすれば、個別評価値をサーバ装置１００側へ送信する運用を行っても、各共同制作者にある程度率直な個別評価を下してもらうことが期待できよう。このような運用をとる場合には、各端末装置２００からサーバ装置１００に対しては、個別評価値のみを送信すれば足りる（もちろん、個別評価値とともに、総合評価値を送信するようにしてもかまわないが、個別評価値を送信すれば、総合評価値は、サーバ装置１００側で算出することができる）。
【００７５】
なお、図１２に示す例では、各共同制作者は、自分自身の応募作品については、個別評価値を与えていないが、自己の応募作品も含めた全応募作品についての個別評価値を入力するようにしてもかまわない。また、ここでは、０点〜１００点という数値による評価値を用いているが、評価対象となる合作物や応募作品について、何らかの段階的評価値を与えることができれば、必ずしも数値による評価値を用いる必要はない。たとえば、グレードＡ，Ｂ，Ｃの三段階評価を各個別評価値として用いるようにし、複数の個別評価値に対して所定のアルゴリズムを適用することにより、同じくグレードＡ，Ｂ，Ｃの三段階評価からなる総合評価値を求めるようにしてもかまわない。
【００７６】
上述したように、他人の応募作品に対する個別評価値をサーバ装置１００側に送信する運用をとると、個々の応募作品ごとの客観的な評価値を算出することが可能になる。たとえば、図１２に示す例の場合、応募作品ａについては、３人の共同制作者Ｂ，Ｃ，Ｄから、それぞれ２０点，０点，２０点という個別評価値が与えられていることが、サーバ装置１００側で認識できるので、たとえば、これらの合計点４０点を、応募作品ａについての客観的な評価値として利用することが可能である。
【００７７】
図１３は、このようにして、４つの応募作品ａ，ｂ，ｃ，ｄに対する各共同制作者による個別評価値の合計を求めた状態を示す表である。この表によれば、応募作品ａについては４０点、応募作品ｂについては１８０点、応募作品ｃについては２０点、応募作品ｄについては７０点という客観的な評価値が得られたことが認識でき、結局、４つの応募作品の中では、応募作品ｂ（１８０点）が最も高い客観的な評価を得ていることが認識できる。なお、合計欄の下の割合欄には、各合計値に対応した割合が％で示されている。
【００７８】
このように、他の共同制作者の個々の作品についての個別評価値をサーバ装置１００側に送信する運用をとれば、許否判定部１５０に、公開許可と判定した合作物についての各制作者ごとに支払う対価を、個々の作品についての個別評価値を考慮して決定する機能をもたせるようなことも可能になる。たとえば、図１３に示す例の場合、もし合作物Ｇ１について、公開許可なる判定がなされ、実際に、この合作物Ｇ１が商業上利用されたとすると、共同制作者Ａ，Ｂ，Ｃ，Ｄに対して、所定の対価を支払う必要が生じることになる。このような対価についての取り決めは、予め作品募集要綱に記載しておくことになるが、客観的評価が最も高かった応募作品に対しては、ボーナスとして付加的な対価を支払うような取り決めをしておけばよい。図１３に示す例の場合、応募作品ｂに対して付加的な対価が支払われることになる。
【００７９】
＜＜＜  §５．応募作品ごとの評価履歴を利用する実施形態  ＞＞＞
前述した§４では、個々の応募作品ごとに、それぞれ個別評価を行う実施形態を述べた。ここでは、こうして行った個別評価についての履歴を保存しておき、これを利用する実施形態を述べる。図１４は、このような実施形態に係る支援システムの構成を示すブロック図である。この図１４に示す支援システムは、図１に示す支援システムに、更に、評価履歴保存部２６０および評価履歴提示部２７０を付加したものである。ここで、評価履歴保存部２６０は、評価情報入力部２４０に入力した評価情報を評価履歴として保存する機能をもった構成要素であり、評価履歴提示部２７０は、この評価履歴を何らかの形式で提示する機能をもった構成要素である。いずれの構成要素も、実際には、コンピュータプログラムによって実現される。
【００８０】
評価情報入力部２４０に対して、評価対象となる合作物を構成する個々の応募作品のうち、少なくとも他の共同制作者の個々の作品についての個別評価値を入力できるようにしておき、この個別評価値が、評価履歴保存部２６０内に、個々の制作者ごとの評価履歴として保存されるようにしておけば、必要に応じて、評価履歴提示部２７０によって、個々の制作者ごとに、評価履歴に基づいて求めた当該制作者に対する総合評価を提示することが可能になる。
【００８１】
図１５は、制作者Ａがこれまでに関与した合作物に関する評価履歴の一例を示す表である。この例では、制作者Ａは、これまでに５回にわたって、合作物の制作に参加しており、それぞれの回において、他の共同制作者の応募作品に対して、所定の個別評価値を与えている。第１回目の参加時に制作された合作物Ｇ１１は、共同制作者Ａ，Ｂ，Ｃ，Ｄの４名による合作物であり、制作者Ａは、この合作物Ｇ１１を構成する共同制作者Ｂの応募作品に対しては８０点、共同制作者Ｃの応募作品に対しては１０点、共同制作者Ｄの応募作品に対しては１０点、という個別評価値を与えている。同様に、第２回目の参加時に制作された合作物Ｇ１２は、共同制作者Ａ，Ｂ，Ｃ，Ｅの４名による合作物であり、制作者Ａは、この合作物Ｇ１２を構成する共同制作者Ｂの応募作品に対しては５５点、共同制作者Ｃの応募作品に対しては０点、共同制作者Ｅの応募作品に対しては５点、という個別評価値を与えている。
【００８２】
図１５の表には、この５回にわたる制作活動における評価履歴がすべて記録されており、最下行の平均欄には、個々の共同制作者に対して与えた個別評価値の平均値が示されている。この平均値は、各制作者について、制作者Ａが下した総合評価としての意味合いをもち、制作者Ａから見たときの各制作者の信頼度を示すパラメータになる。具体的には、図１５に示す例の場合、制作者Ｂについての平均（信頼度）が６１．１となっており、最も高い値を示している。これは、これまでの５回にわたる制作活動を通じて、制作者Ｂに対する個別評価値が最も高いことを示しており、制作者Ａの立場からは、制作者Ｂが最も信頼できる（最も相性の良い）共同制作者であることを意味している。逆に、制作者Ｅについての平均（信頼度）は、８．７５と最も低い値を示している。これは、これまでの５回にわたる制作活動を通じて、制作者Ｅに対する個別評価値が最も低いことを示しており、制作者Ａの立場からは、制作者Ｅが最も信頼できない（最も相性の悪い）共同制作者であることを意味している。
【００８３】
図１６の表は、図１５の表における個別評価値を、総合評価値（合作物に対する評価値）に対する割合に置き換えたものである。たとえば、合作物Ｇ１２の場合、図１５の表によると、制作者Ｂに対する個別評価値は５５点であるが、そもそも合作物Ｇ１２についての総合評価値が６０点しかないので、そのうちの制作者Ｂに対する個別評価値の占める割合は、５５／６０＝９１．７％とかなり高い値になる。図１６の表は、このような割合による評価を示すものであり、複数の制作者間における信頼度の差をより端的に示すことができる。実際、図１６の表では、制作者Ｂに対する信頼度は７４％という高い数値を示している。評価履歴提示部２７０に、図１５あるいは図１６に示すような表を提示する機能をもたせておけば、制作者Ａは、このような表を見ることにより、自分にとって信頼度の高い（相性の良い）パートナーが誰であるかを容易に認識することが可能になる。
【００８４】
このように、過去の評価履歴に基づいて、自分にとって相性の良いパートナーを認識することは、今後の制作活動を円滑に進める上で重要である。すなわち、今後は、できるだけ自分にとって相性の良いパートナーと組んで合作物の作成を行うように努めた方が効率良い仕事を行うことができる。このように、過去の評価履歴を、将来の仕事選びに反映させるためには、評価履歴提示部２７０に、作品募集要綱閲覧部２１０による閲覧画面を利用して、各制作者に対する総合評価の提示を行う機能をもたせておくようにするとよい。図１４において、評価履歴提示部２７０から作品募集要綱閲覧部２１０へ矢印線が伸びているのは、このような機能を示すものである。
【００８５】
具体的には、次のような仕組を設けておけばよい。すなわち、評価履歴提示部２７０に、応募作品登録部１２０への登録状況を参照することにより、制作予定となる合作物について既に応募済の制作者を認識する機能をもたせておき、この応募済の制作者に対する総合評価（信頼度）に基づいて、当該合作物についての作品募集要綱の提示態様を変える機能をもたせておけばよい。
【００８６】
たとえば、新たな合作物Ｇ１６についての作品募集要綱が、作品募集要綱提示部１１０から提示されていたとしよう。しかも、この作品募集要綱に対して、既に制作者Ｂが応募を行い、応募作品を応募作品登録部１２０に登録していたとしよう。この場合、評価履歴提示部２７０は、応募作品登録部１２０への登録状況を参照することにより、合作物Ｇ１６について、制作者Ｂが応募を行っている事実を認識することができ、しかも評価履歴保存部２６０に保存されている評価履歴（たとえば、図１６に示すような評価履歴）に基づいて、制作者Ｂについての信頼度が７４％とかなり高いことを認識することができる。このような場合、信頼度の高い制作者Ｂが参加している合作物Ｇ１６は、制作者Ａについても「おすすめ」の作品ということになる。
【００８７】
そこで、評価履歴提示部２７０から作品募集要綱閲覧部２１０に対して指示を与え、作品募集要綱閲覧部２１０が表示する閲覧画面上において、合作物Ｇ１６についての作品募集要綱は、他の合作物（制作者Ｂが関与していない合作物Ｇ）についての作品募集要綱とは異なる表示態様で表示させるようにすればよい。たとえば、制作者Ｂが関与している合作物Ｇ１６の作品募集要綱を、アンダーラインを付して表示するとか、色を変えて表示する、などの方法をとればよい。このような表示を見て、制作者Ａは、合作物Ｇ１６が「おすすめ」の作品であることを一目で認識することができる。逆に、制作者Ａとは相性が悪い制作者Ｅが関与している合作物については、別な特殊態様による表示を行うようにすれば、制作者Ａは、当該合作物についての応募は、できるだけ避けるなどの対策をとることができるようになる。
【００８８】
なお、一般的には、作品募集要綱提示部１１０によって作品募集要綱が提示されてから、応募作品登録部１２０に実際の応募作品が登録されるまでには、ある程度の時間（応募作品を制作するための時間）が必要である。そこで、応募作品登録部１２０に、作品に応募する旨の各制作者の意志表示に基づいて予約登録を行う機能をもたせておき、評価履歴提示部２７０が、この応募作品登録部１２０への予約登録の状況を参照することにより、制作予定となる合作物について参加予定の制作者を認識し、当該制作者に対する総合評価に基づいて、当該合作物についての作品募集要綱の提示態様を変えるようにしておけば、より好ましい。たとえば、制作者Ｂが合作物Ｇ１６について作品を応募する旨の意志表示を行った時点で、応募作品登録部１２０内にその旨の予約登録がなされることになるので、その時点から、制作者Ａ用の端末装置２００では、合作物Ｇ１６の作品募集要綱が、通常とは異なる表示態様で表示されることになる。
【００８９】
＜＜＜  §６．その他の変形例  ＞＞＞
以上、本発明に係るデジタルコンテンツの共同制作支援システムをいくつかの実施形態に基づいて説明したが、本発明はこれらの実施形態に限定されるものではなく、この他にも種々の形態で実施可能である。
【００９０】
たとえば、上述の実施形態では、合作物を構成する各ピースのすべてについて、応募作品の募集を行う例を述べたが、応募作品登録部１２０に既に登録済みの応募作品を必須構成要素とする合作物についての作品募集要綱を提示することも可能である。たとえば、図８に示す具体例２において、人物１の部分の画像については、既に応募作品登録部１２０内に登録済みの固定のキャラクター画像を用いることが決まっているような場合には、作品募集要綱において、その旨を提示し、残りのピースについてのみ、作品を募集するようにすればよい。
【００９１】
上述の実施形態では、作品募集要綱提示部１１０による作品募集要綱の提示や、合作物提示部１４０による合作物の提示を、Ｗｅｂページを利用して行う例を述べたが、これらの提示は、必ずしもＷｅｂページで行う必要はない。また、Ｗｅｂページを用いて提示を行う際には、各制作者に対して、電子メールなどを送信し、特定の作品募集要綱や特定の合作物が、特定のＵＲＬで示される場所に提示されていることを報知するような仕組みを設けておくのが好ましい。
【図面の簡単な説明】
【００９２】
【図１】本発明に係るデジタルコンテンツの共同制作支援システムの基本的な実施形態の構成を示すブロック図である。
【図２】作品募集要綱提示部１１０によって提示される作品募集要綱の基本構成を示すブロック図である。
【図３】本発明に係る支援システムで提示される作品募集要綱の第１の具体例を示す図である。
【図４】図３に示す作品応募要綱に応じて制作された６つの応募作品の具体例を示す図である。
【図５】図４に示す６つの応募作品について可能な４通りの組み合わせパターンを示す図である。
【図６】図４に示す６つの応募作品の中の４つを用いて具体的に作成された合作物Ｇ１を示す平面図である。
【図７】図６に示す合作物Ｇ１のデータ構造の一例（ＸＭＬフォーマット）を示す図である。
【図８】本発明に係る支援システムで提示される作品募集要綱の第２の具体例を示す図である。
【図９】図８に示す作品募集要綱に対する応募作品の一例を示す図である。
【図１０】図９に示す応募作品を用いて作成された合作物Ｇ５を示す平面図である。
【図１１】本発明に係る支援システムで提示される作品募集要綱の第３の具体例を示す図である。
【図１２】図６に示す合作物Ｇ１について与えられた個別評価値と総合評価値との一例を示す表である。
【図１３】図１２に示す４つの応募作品ａ，ｂ，ｃ，ｄに対する各共同制作者による個別評価値の合計を求めた状態を示す表である。
【図１４】個別評価についての履歴を保存しておき、これを利用する実施形態に係る支援システムの構成を示すブロック図である。
【図１５】制作者Ａがこれまでに参加した合作物に関する評価履歴の一例を示す表である。
【図１６】図１５の表における個別評価値を、総合評価値に対する割合に置き換えた表である。
【符号の説明】
【００９３】
１００…サーバ装置
１１０…作品募集要綱提示部
１２０…応募作品登録部
１３０…合作物作成部
１４０…合作物提示部
１５０…許否判定部
２００…端末装置
２１０…作品募集要綱閲覧部
２２０…作品送信部
２３０…合作物閲覧部
２４０…評価情報入力部
２５０…評価情報送信部
２６０…評価履歴保存部
２７０…評価履歴提示部
３００…ネットワーク（インターネット）
ａ〜ｋ…応募作品（合作物を構成する各ピース）
Ａ〜Ｆ…制作者
Ｇ１〜Ｇ１５…合作物
【図１】
2006048463.tif 000003
【図２】
2006048463.tif 000004
【図３】
2006048463.tif 000005
【図４】
2006048463.tif 000006
【図５】
2006048463.tif 000007
【図６】
2006048463.tif 000008
【図７】
2006048463.tif 000009
【図８】
2006048463.tif 000010
【図９】
2006048463.tif 000011
【図１０】
2006048463.tif 000012
【図１１】
2006048463.tif 000013
【図１２】
2006048463.tif 000014
【図１３】
2006048463.tif 000015
【図１４】
2006048463.tif 000016
【図１５】
2006048463.tif 000017
【図１６】
2006048463.tif 000018